(57)【要約】  【課題】  酸素富化された空気などを室外機から室内機に供給する空気配管の空気抵抗を低下させることのできる構造を備えた空気調和機を提供すること。  【課題を解決するための手段】  室外機と室内機との間で配管接続された冷媒流路に冷媒を還流させることにより室内空気の温度を調整する空気調和機であって，前記室外機に，酸素富化ユニット，加湿空気ユニット，換気用空気ユニットなどの空気を供給するユニットが設けられ，該空気を供給するユニットからの空気を室内機に供給する空気調和機における上記ユニットからの空気を室外機から室内機に導く配管中の前記室外機からの導出部分が，前記室外機を覆う垂直の側部カバーに対して斜め下方に向けて導出されてなる空気調和機。【選択図】図１
2006234309.tif 000002
【特許請求の範囲】
【請求項１】
室外機と室内機との間で配管接続された冷媒流路に冷媒を還流させることにより室内空気の温度を調整する空気調和機であって，
前記室外機に，空気を供給するユニットが設けられ，該空気を供給するユニットからの空気を室内機に供給する空気調和機において，
前記空気を供給するユニットからの空気を室外機から室内機に導く配管中の前記室外機からの導出部分が，前記室外機を覆う垂直の側部カバーに対して斜め下方に向けて導出されてなることを特徴とする空気調和機。
【請求項２】
前記空気を供給するユニットが，酸素濃度を高める機能を有する酸素富化ユニットである請求項１に記載の空気調和機。
【請求項３】
前記空気を供給するユニットが，加湿空気を生成するユニットである請求項１に記載の空気調和機。
【請求項４】
前記空気を供給するユニットが，換気用空気を室内機に供給するユニットである請求項１に記載の空気調和機。
【請求項５】
前記配管中の前記室外機からの導出部分が，前記室外機の側部カバー或いは室外機自身の上下方向のほぼ中央部に形成されてなる請求項１〜４のいずれかに記載の空気調和機。
【発明の詳細な説明】
【技術分野】
【０００１】
本発明は，室外機と室内機との間で配管接続された冷媒流路に冷媒を還流させることにより室内空気の温度を調整する空気調和機に関し，特に，酸素富化された空気などを室外機から室内機に供給する空気配管の空気抵抗を低下させることのできる構造を備えた空気調和機に関するものである。
【背景技術】
【０００２】
室外機と室内機とが分離されたいわゆる分離型の空気調和機では，室外機で生成された空気調和された空気を室内機に供給する配管が必要であるが，同時に室外機において酸素を多く含む空気を生成し，それを室内機に供給するための酸素富化ユニットを室外機に設置した空気調和機では，上記酸素富化ユニットで生成された酸素富化空気を室内機に供給するための配管が新たに必要である。このような酸素富化ユニットに設けられる空気供給用のポンプは，送り出す酸素富化空気の量がそれほど多くないので，一般に空気調和された空気を送り出すためのコンプレッサーのような大型のものを設けることは考えがたい。そのため，酸素富化空気を室外機に配送するためのポンプは小型で比較的低圧のポンプを使うことになるので，酸素富化空気を室内機に配送するための配管における空気抵抗をできるだけ小さなものにしなければ，十分な量の酸素富化空気を室内機に供給することが出来ない。
このような問題は，前記酸素富化ユニットで生成された空気を室内機へ送る場合のみでなく，例えば，加湿空気や或いは換気用の空気を室内機へ送るような場合にも同様に発生する。
ところで，特許文献１には，室外機に真空ポンプを含んでなる酸素富化装置を備えた空気調和機が提案されている。この空気調和機では，酸素富化ユニットからの空気を室外機から室内機に導く配管中の前記室外機からの導出部分が，室外機内において前記室外機を覆う垂直の側壁沿って垂直に下方に向けて導かれると共に，室外機下部において上記垂直の側部カバーに対して急激に且つ垂直方向に向けて，即ち水平の方向に室外機外に導出されている。
また上記特許文献１に記載の空気調和機では，室外機に導出された配管が更に急激に且つ直角に折曲されて室内機に向かう配管に接続されている。
【特許文献１】特開２００４−２４５５４３号公報
【発明の開示】
【発明が解決しようとする課題】
【０００３】
上記のように特許文献１に記載の空気調和機では，酸素富化された空気を室外機から導出する配管が，上記導出部分において２度にわたって急激に直角に折り曲げられている。これは，そもそも室外機内における配管が室外機下部まで垂直に導かれているため，室外機下部において急激に水平方向に方向転換しなければならないためである。
しかしながら，上記特許文献１に開示の空気調和機では，上記のように配管を２度にわたって急激に折り曲げざるを得ないので，上記急激な折曲部分での空気抵抗が大きく，空気圧の低下が極めて著しい。そのため，この空気調和機では，酸素富化された空気を室内機に送り出すためのポンプを大型化せざるを得ず，コストアップの原因となっていた。
このような問題は，前記した加湿空気や換気用空気を室外機から室内機に向けて送り込む配管についても同様に生じるものである。
従って，本発明は上記事情に鑑みてなされたものであり，その目的とするところは，上記のような酸素富化空気，加湿空気或いは換気用空気などを室外機から室内機に向けて送り出すための配管における空気抵抗を極力減らすことのできる構造を備えた空気調和機を提供することにある。
【課題を解決するための手段】
【０００４】
上記目的を達成するために本発明は，
室外機と室内機との間で配管接続された冷媒流路に冷媒を還流させることにより室内空気の温度を調整する空気調和機であって，前記室外機に，酸素富化ユニット，加湿空気ユニット，換気用空気ユニットなどの空気を供給するユニットが設けられ，該空気を供給するユニットからの空気を室内機に供給する空気調和機における上記ユニットからの空気を室外機から室内機に導く配管中の前記室外機からの導出部分が，前記室外機を覆う垂直の側部カバーに対して斜め下方に向けて導出されてなることを特徴とする空気調和機として構成されている。
このように配管の室外機から引き出される部分が，垂直の側部カバーに対して斜め下方に向けて引き出されることにより，その配管の先端に接続されたホースなどの配管が，緩やかなカーブ（湾曲）を描くことができるので，その部分における空気抵抗が無視できるほどに低下し，それにより空気を送るためのポンプなどを小型化することが可能となり，コストダウンに寄与することができる。
また前記配管中の前記室外機からの導出部分が，前記室外機の側部カバー或いは室外機自身の上下方向のほぼ中央部に形成されてなる場合には，上記配管に接続された室内機に向かう配管を湾曲させるスペースが大きく取れるので，上記配管の湾曲の曲率半径を大きくとることが出来，その中を通る空気の抵抗が更に低下する。
【発明の効果】
【０００５】
以上説明したように，本発明によれば，配管の室外機から引き出される部分が，垂直の側部カバーに対して斜め下方にむけて引き出されることにより，その配管の先端に接続されたホースなどの配管が，緩やかなカーブ（湾曲）を描くことができるので，その部分における空気抵抗が無視できるほどに低下し，それにより空気を送るためのポンプなどを小型化することが可能となり，コストダウンに寄与することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る空気調和機の室外機Ｘの側部のみを取り出して示す断面図，図２は上記室外機Ｘの外部カバーを取り除いた状態を示す側面図，図３は上記図２に示した室外機Ｘの側面を覆う側部カバーの正面図，図４は上記側部カバーの断面図（図３におけるＹ−Ｙ断面図），図５は図４に示した側部カバーの要部断面図，図６は上記室外機Ｘの外部カバーを外した状態の斜視図，図７は図６に示した室外機Ｘに外部カバーを取り付けた状態を示す斜視図，図８は上記外部カバーを取り付けた室外機Ｘの側面図である。
まず，図１を用いて，室外機Ｘの概略の構造を説明する。図１は，酸素富化ユニットＡを備えた室外機Ｘについての実施形態を示しているが，加湿空気や換気用の空気を室内機に供給するユニットの場合でも同様である。
【０００７】
図１に示すように，本空気調和機の室外機Ｘは，内部に図示せぬコンプレッサーや熱交換ユニットを備え，複数の配管１は，冷媒を室内機に送るための熱交換器から伸びる配管である。この場合，冷媒は，上記コンプレッサーにより室内機に送られるので，十分に加圧された状態である。従って，上記冷媒を送る配管１は，室外機Ｘの側部カバー２に沿って垂直に下降した後，室外機下部において水平方向に折曲されて，室外機Ｘの外部に突き出している。この突き出した配管端部３に室内機に向けたホースなどの配管が接続される。
一方，室外機Ｘ上部に設けられた上部室１０内の酸素富化ユニットＡから延びる配管４は，前記垂直の側部カバー２に沿って垂直に配設されているが，上記側部カバー２或いは室外機Ｘの上下方向略中央部から上記垂直の側部カバー２に対して斜め下方向へ向けて緩やかに折曲され，上記側部カバー２から下方に向けて突出している。
【０００８】
上記配管４の側部カバー２に対する斜め方向の傾斜角度は，１０度〜３０度程度に緩やかな角度である。
このように配管４を緩やかな角度をつけて，側部カバー２から外部へ引き出すことで，その先に接続されたホースなどの室内機向け配管を，図２に示す大きい矢印Ｚのように緩やかな，大きい曲率をつけて引き出すことができるので，上記ホースなどの配管内における空気抵抗を生じず，圧力低下がないので，酸素富化された空気を送り出すポンプとして大型のものが不要となる。
尚，矢印Ｚは図２における右方向に向かうものであるが，当然ながら左方向或いは紙面に直角の方向に伸びるように，配管を引き出すことも可能である。
【０００９】
このように，矢印Ｚで示す配管を緩やかに湾曲させることが，その中を通る空気の抵抗を減少させるために重要であるが，このような緩やかな湾曲を得るために，上記のように配管４を側部カバー２に対して緩やかな角度で斜め下方向に引き出すことに加え，上記引出し部が，側部カバー２の上下方向の中央部に設けられ，それにより斜め下方向に引き出されたホースなどの配管が，緩やかに湾曲しうるスペースが確保されていることが重要である。また，上記引出し部が，側部カバー２の上下方向の中央部に設けられているため，室外機Ｘの下方で接続される冷媒用配管の接続作業時や，室内機との間の接続配線を室外機Ｘの上方に設けられた不図示の接続端子に接続する接続作業時に上記引出し部が邪魔にならず作業性が良い。さらに，上記引出し部へのホースの取付作業も容易である。
上記のように配管４を緩やかな傾斜をつけて側部カバー２から引き出すために，上記側部カバー２の側面に，図３〜図５に示すような室外機Ｘの内部に向けてへこむ凹部５を形成することが望ましい。
また上記凹部５に引き出された配管４を把持するホルダー６を設けておくことが望ましい。
このような構成により，上記凹部５を形成する上辺部５ａに形成された孔５ｂから斜め下方向へ引き出された配管４の先端部は，上記ホルダー６に把持固定されるので，配管４の振動や不安定な引出しが抑えられる。
図６は上記のようなホルダー６の詳細形状を示すための斜視図である。図に示すように，上記凹部５を設けることによって，ホルダー６に把持された配管４が大きく外部に突出しないように構成され，配管４の突出端部が邪魔にならないように配慮されている。
【００１０】
また上記のように配管４が斜め下に向けて引き出されているので，その先端に接続された前記ホースなどの配管も斜め下に向けて引き出され，室外機側部下部に引き出されている冷媒の往き及び戻りの配管と束ねて処理することも可能であるので，配管工事の手間が省ける構造となっている。
【００１１】
上記のように配管４の先端に接続されたホースなどの配管や，室外機下部から引き出された冷媒用配管などが，室外機Ｘの側部からあらかさまに突き出しているのは，空気調和機の外観を損ねる可能性があるので，この室外機Ｘでは，図７及び図８に示すように，さらに外部カバー７を上記側部カバー２の外面に取り付けて，装飾材とすることが望ましい。これにより，上記外部カバー７の開口（不図示）から上記冷媒用配管，室外機と室内機との間に接続される接続配線，及び酸素富化された空気を室内に供給するための配管などを束ねて導出することが可能となるので，空気調和機の美観が損なわれない。
このようなカバー類は，プラスティック製でよいので軽量化可能である。また，上記外部カバー７の外面上部に外側に向けて突出する把手８を形成しておくことで，室外機Ｘの搬送が容易となる。
【実施例１】
【００１２】
上述の実施の形態では，酸素富化ユニットからの空気を室内機に送る場合について説明したが，前記したように室外機側に設けた加湿空気を供給する場合や，或いは換気用の空気を送る配管の処理についても，本発明は適用可能であることは言うまでもない。
【図面の簡単な説明】
【００１３】
【図１】本発明の一実施形態に係る空気調和機の室外機Ｘの側部のみを取り出して示す断面図。
【図２】室外機Ｘの外部カバーを取り除いた状態を示す側面図。
【図３】図２に示した室外機Ｘの側面を覆う側部カバーの正面図。
【図４】側部カバーの断面図（図３におけるＹ−Ｙ断面図）。
【図５】図４に示した側部カバーの要部を示す断面図。
【図６】室外機Ｘの外部カバーを外した状態の斜視図。
【図７】図６に示した室外機Ｘに外部カバーを取り付けた状態を示す斜視図。
【図８】外部カバーを取り付けた室外機Ｘの側面図。
【符号の説明】
【００１４】
Ｘ…空気調和機の室外機
１…配管
２…側部カバー
３…配管端部
４…配管
５…凹部
５ａ…上辺部
５ｂ…孔
６…ホルダー
７…外部カバー
８…把手
【図１】
2006234309.tif 000003
【図２】
2006234309.tif 000004
【図３】
2006234309.tif 000005
【図４】
2006234309.tif 000006
【図５】
2006234309.tif 000007
【図６】
2006234309.tif 000008
【図７】
2006234309.tif 000009
【図８】
2006234309.tif 000010